(57)【要約】【課題】  電子装置の電力消費をより効果的に且つ効率的に減少させる技術を提供する。【解決手段】  本発明によれば、電子装置が運動感受性パワースイッチング集積回路を包含しており、それは入力と出力との間に接続されているパワースイッチと、その運動に基づいて第一位置から第二位置へ移動可能なＭＥＭＳ慣性検知スイッチとを包含している。該運動感受性パワースイッチング集積回路は、又、ＭＥＭＳ慣性検知スイッチが第一位置から第二位置へ移動することに基づいて入力から出力へ電力を供給するためにパワースイッチを動作させる検知器を包含している。第一位置及び第二位置は、夫々、通常開いた位置及び閉じた位置とすることが可能である。本装置は、ＭＥＭＳ慣性検知スイッチが開いた位置から閉じた位置へ移動するまでパワーが供給されないままとすることが可能である。該検知器は、ＭＥＭＳ慣性検知スイッチが開いた位置から閉じた位置へ移動することに基づいてパワーオンリセット（ＰＯＲ）信号を発生することが可能である。【選択図】      図１
2004236306.tif 000002
【特許請求の範囲】
【請求項１】
運動感受性パワースイッチング集積回路において、
電源へ接続するための入力、
選択的にパワーが供給されるべき回路へ接続するための出力、
前記入力と前記出力との間に接続されているパワースイッチ、
その運動に基づいて通常開いた位置から閉じた位置へ移動可能な少なくとも１個のＭＥＭＳ慣性検知スイッチ、
前記少なくとも１個のＭＥＭＳ慣性検知スイッチが前記通常開いた位置から前記閉じた位置へ移動することに基づいて前記入力から前記出力へパワーを供給するために前記パワースイッチを動作する検知器、
を有していることを特徴とする運動感受性パワースイッチング集積回路。
【請求項２】
請求項１において、前記少なくとも１個のＭＥＭＳ慣性検知スイッチが前記通常開いた位置から前記閉じた位置へ移動するまで前記検知器へパワーが供給されないままであることを特徴とする運動感受性パワースイッチング集積回路。
【請求項３】
請求項１において、前記少なくとも１個のＭＥＭＳ慣性検知スイッチが前記通常開いた位置から前記閉じた位置へ移動することに基づいて前記検知器が前記パワースイッチをオン状態にラッチさせることを特徴とする運動感受性パワースイッチング集積回路。
【請求項４】
請求項１において、前記少なくとも１個のＭＥＭＳ慣性検知スイッチが前記通常開いた位置から前記閉じた位置へ移動することに基づいて前記検知器が、更に、パワーオンリセット（ＰＯＲ）信号を発生することを特徴とする運動感受性パワースイッチング集積回路。
【請求項５】
請求項４において、更に、前記検知器へ接続されているＰＯＲ外部ピンを有していることを特徴とする運動感受性パワースイッチング集積回路。
【請求項６】
請求項１において、前記少なくとも１個のＭＥＭＳ慣性検知スイッチが並列接続されている複数個のＭＥＭＳ慣性検知スイッチを有していることを特徴とする運動感受性パワースイッチング集積回路。
【請求項７】
請求項１において、前記少なくとも１個のＭＥＭＳ慣性検知スイッチが、各々が夫々異なる移動軸に沿っての移動に応答する複数個のＭＥＭＳ慣性検知スイッチを有していることを特徴とする運動感受性パワースイッチング集積回路。
【請求項８】
請求項１において、前記パワースイッチが前記入力と出力との間に直列接続されている夫々の導通端子を具備している少なくとも１個のトランジスタを有していることを特徴とする運動感受性パワースイッチング集積回路。
【請求項９】
請求項８において、前記少なくとも１個のトランジスタが、更に、前記少なくとも１個のＭＥＭＳ慣性検知スイッチ及び前記検知器へ接続している制御端子を具備していることを特徴とする運動感受性パワースイッチング集積回路。
【請求項１０】
請求項１において、前記パワースイッチが少なくとも１個のＭＯＳトランジスタを有していることを特徴とする運動感受性パワースイッチング集積回路。
【請求項１１】
請求項１において、前記入力が第一外部ピンを有しており且つ前記出力が第二外部ピンを有していることを特徴とする運動感受性パワースイッチング集積回路。
【請求項１２】
請求項１において、更に、前記少なくとも１個のＭＥＭＳ慣性検知スイッチ及び前記検知器へ接続している外部接地ピンを有していることを特徴とする運動感受性パワースイッチング集積回路。
【請求項１３】
運動感受性パワースイッチング集積回路において、
電源へ接続するための外部入力ピン、
選択的にパワーが供給されるべき回路へ接続するための外部出力ピン、
前記外部入力ピンと前記外部出力ピンとの間に接続されているパワースイッチ、
その運動に基づいて通常開いた位置から閉じた位置へ移動可能な少なくとも１個のＭＥＭＳ慣性検知スイッチ、
前記少なくとも１個のＭＥＭＳ慣性検知スイッチが前記通常開いた位置から前記閉じた位置へ移動するまでパワーが供給されないままであり、且つ前記少なくとも１個のＭＥＭＳ慣性検知スイッチが前記通常開いた位置から前記閉じた位置へ移動することに基づいて前記入力から前記出力へパワーを供給するために前記パワースイッチをラッチさせる検知器、
を有していることを特徴とする運動感受性パワースイッチング集積回路。
【請求項１４】
請求項１３において、前記検知器が、更に、前記少なくとも１個のＭＥＭＳ慣性検知スイッチが前記通常開いた位置から前記閉じた位置へ移動することに基づいて、パワーオンリセット（ＰＯＲ）信号を発生することを特徴とする運動感受性パワースイッチング集積回路。
【請求項１５】
請求項１４において、更に、前記検知器へ接続されているＰＯＲ外部ピンを有していることを特徴とする運動感受性パワースイッチング集積回路。
【請求項１６】
請求項１３において、前記少なくとも１個のＭＥＭＳ慣性検知スイッチが並列接続されている複数個のＭＥＭＳ慣性検知スイッチを有していることを特徴とする運動感受性パワースイッチング集積回路。
【請求項１７】
請求項１３において、前記少なくとも１個のＭＥＭＳ慣性検知スイッチが、各々が夫々異なる移動軸に沿っての移動に応答する複数個のＭＥＭＳ慣性検知スイッチを有していることを特徴とする運動感受性パワースイッチング集積回路。
【請求項１８】
請求項１３において、前記パワースイッチが、前記入力と出力との間に直列接続されている夫々の導通端子を具備している少なくとも１個のトランジスタを有していることを特徴とする運動感受性パワースイッチング集積回路。
【請求項１９】
請求項１８において、前記少なくとも１個のトランジスタが、更に、前記少なくとも１個のＭＥＭＳ慣性検知スイッチ及び前記検知器へ接続している制御端子を具備していることを特徴とする運動感受性パワースイッチング集積回路。
【請求項２０】
請求項１３において、更に、前記少なくとも１個のＭＥＭＳ慣性検知スイッチ及び前記検知器へ接続している外部接地ピンを有していることを特徴とする運動感受性パワースイッチング集積回路。
【請求項２１】
運動感受性パワースイッチング集積回路において、
電源へ接続するための入力、
選択的にパワーが供給されるべき回路へ接続するための出力、
前記入力と前記出力との間に接続されているパワースイッチ、
その運動に基づいて第一位置から第二位置へ移動可能な少なくとも１個のＭＥＭＳ慣性検知スイッチ、
前記少なくとも１個のＭＥＭＳ慣性検知スイッチが前記第一位置から前記第二位置へ移動することに基づいて前記入力から前記出力へパワーを供給するために前記パワースイッチを動作させる検知器、
を有しており、前記検知器が、更に、前記少なくとも１個のＭＥＭＳ慣性検知スイッチが前記第一位置から前記第二位置へ移動することに基づいてパワーオンリセット（ＰＯＲ）信号を発生することを特徴とする運動感受性パワースイッチング集積回路。
【請求項２２】
請求項２１において、前記少なくとも１個のＭＥＭＳ慣性検知スイッチが前記第一位置から前記第二位置へ移動するまで前記検知器はパワーが供給されないままであることを特徴とする運動感受性パワースイッチング集積回路。
【請求項２３】
請求項２１において、前記少なくとも１個のＭＥＭＳ慣性検知スイッチが前記第一位置から前記第二位置へ移動することに基づいて前記検知器が前記パワースイッチをオン状態へラッチさせることを特徴とする運動感受性パワースイッチング集積回路。
【請求項２４】
請求項２１において、前記少なくとも１個のＭＥＭＳ慣性検知スイッチが並列接続されている複数個のＭＥＭＳ慣性検知スイッチを有していることを特徴とする運動感受性パワースイッチング集積回路。
【請求項２５】
請求項２１において、前記少なくとも１個のＭＥＭＳ慣性検知スイッチが、各々が異なる移動軸に沿っての移動に応答する複数個のＭＥＭＳ慣性検知スイッチを有していることを特徴とする運動感受性パワースイッチング集積回路。
【請求項２６】
請求項２１において、前記パワースイッチが、前記入力と出力との間に直列接続されている夫々の導通端子を具備している少なくとも１個のトランジスタを有していることを特徴とする運動感受性パワースイッチング集積回路。
【請求項２７】
請求項２６において、前記少なくとも１個のトランジスタが、更に、前記少なくとも１個のＭＥＭＳ慣性検知スイッチ及び前記検知器へ接続している制御端子を具備していることを特徴とする運動感受性パワースイッチング集積回路。
【請求項２８】
電子装置において、
入力と出力との間に接続されているパワースイッチ、
その運動に基づいて第一位置から第二位置へ移動可能な少なくとも１個のＭＥＭＳ慣性検知スイッチ、
前記少なくとも１個のＭＥＭＳ慣性検知スイッチが前記第一位置から前記第二位置へ移動することに基づいて前記入力から前記出力へパワーを供給するために前記パワースイッチを動作させる検知器、
を有していることを特徴とする電子装置。
【請求項２９】
請求項２８において、前記少なくとも１個のＭＥＭＳ慣性検知スイッチが前記第一位置から前記第二位置へ移動するまで前記検知器がパワーが供給されないままであることを特徴とする電子装置。
【請求項３０】
請求項２８において、前記少なくとも１個のＭＥＭＳ慣性検知スイッチが前記第一位置から前記第二位置へ移動することに基づいて前記検知器が前記パワースイッチをオン状態にラッチさせることを特徴とする電子装置。
【請求項３１】
請求項２８において、前記少なくとも１個のＭＥＭＳ慣性検知スイッチが前記第一位置から前記第二位置へ移動することに基づいて前記検知器がパワーオンリセット（ＰＯＲ）信号を発生することを特徴とする電子装置。
【請求項３２】
請求項２８において、前記少なくとも１個のＭＥＭＳ慣性検知スイッチが並列接続されている複数個のＭＥＭＳ慣性検知スイッチを有していることを特徴とする電子装置。
【請求項３３】
請求項２８において、更に、基板を有しており、その上に前記パワースイッチ、前記少なくとも１個のＭＥＭＳ慣性検知スイッチ及び前記検知器が形成されていることを特徴とする電子装置。
【請求項３４】
請求項３３において、更に、前記基板上に設けられており且つ前記パワースイッチの前記出力へ接続されている回路を有していることを特徴とする電子装置。
【請求項３５】
請求項３３において、更に、少なくとも１個のその他の基板及びその上に設けられており且つ前記パワースイッチの前記出力へ接続されている回路を有していることを特徴とする電子装置。
【請求項３６】
運動に基づいてパワースイッチの出力へ接続されている回路へ選択的にパワーを供給する方法において、
少なくとも１個のＭＥＭＳ慣性検知スイッチがその運動に基づいて第一位置から第二位置へ移動することを検知することに基づいて前記出力へパワーを供給するために前記パワースイッチを動作させる、
ことを包含していることを特徴とする方法。
【請求項３７】
請求項３６において、前記第一位置が通常開いた位置であり且つ前記第二位置が閉じた位置であることを特徴とする方法。
【請求項３８】
請求項３７において、検知を行う場合に、前記少なくとも１個のＭＥＭＳ慣性検知スイッチが前記通常開いた位置から前記閉じた位置へ移動するまでパワーが供給されないままである検知器を使用することを特徴とする方法。
【請求項３９】
請求項３６において、更に、前記少なくとも１個のＭＥＭＳ慣性検知スイッチが前記第一位置から前記第二位置へ移動することに基づいて前記パワースイッチをオン状態にラッチさせることを包含していることを特徴とする方法。
【請求項４０】
請求項３６において、更に、前記少なくとも１個のＭＥＭＳ慣性検知スイッチが前記第一位置から前記第二位置へ移動することに基づいてパワーオンリセット（ＰＯＲ）信号を発生させることを包含していることを特徴とする方法。
【発明の詳細な説明】
【技術分野】
【０００１】
本発明はマイクロエレクトロニクス回路の分野に関するものであって、更に詳細には、マイクロ電気機械的スイッチを包含するパワー制御回路に関するものである。
【背景技術】
【０００２】
エレクトロニクスのユーザはスマートカード及びその他の電子装置のホストのみならず例えばハンドヘルド型モーバイル電話及びパソコン等のより小型でより携帯可能な装置を継続的に要求している。携帯可能性に関しては、これらの電子装置はそれら自身の電源を担持するか、又は例えば、このような装置を壁のコンセントへ接続させることを可能とするアダプタと共に使用する場合がある。後者のアプローチは、通常、このような装置を使用することをより厄介なものとさせ、一方前者のアプローチは、例えば、内部電源として比較的大型の携帯可能なバッテリを使用せねばならない場合に装置をどれ程小型化することが可能であるかを制約させる場合がある。
【０００３】
このような携帯可能な電子装置の内部電源の寸法を制限することは、典型的に、該装置の電力消費を減少することを必要とし、特に、例えば、該装置がアイドルである期間中にそのようにすることが必要とされる。然しながら、装置のユーザは、典型的に、その装置が長い時間期間にわたってアイドル状態にあった後であっても迅速的にパワーアップされ且つすぐさま使用可能となることが可能であることを所望することが典型的である。従って、携帯可能な電源と該装置の動作回路との間にパワー制御回路が介在される場合がある。該パワー制御回路は、該装置がアイドルである場合に動作回路へのパワーの供給を減少させることによりパワーの供給を制御することが可能であり、従って全体的な電力消費がそれにより減少される。
【０００４】
１つのアプローチは、該装置を使用するユーザの意図に通常対応する外部的励起を検知するウェイクアップセンサーをパワー制御回路の一部として包含させることであり、そのパワー制御回路は、該センサーに応答して該装置をパワーアップし、従ってその動作回路はアクティブモードとなる。例えばＴａｎｅｎｈａｕｓ  ｅｔ  ａｌ．に対する米国特許第６，４６９，６３９号は、そのウェイクアップセンサーがマイクロ電子機械的（ＭＥＭ）加速度計とすることが可能であることを開示しており、該加速度計はユーザによってピックアップされるか又は移動される場合に該装置の加速度を検知する。より詳細に説明すると、該加速度計は低パワーの集積回路即ち「ＭＥＭＳチップ」であり、それはバッファ回路へ検知信号を供給し、該バッファ回路はバッファした検知信号が所定のスレッシュホールド値に到達するか又は超えるか否か及び何時それが発生するかを検知するためのスレッシュホールド検知回路へ接続されている。
【０００５】
ＭＥＭＳ加速度計はその他の装置に対しても使用することが可能である。例えば、ニュージャージー・インスティチュート・オブ・テクノロジー（Ｎｅｗ  Ｊｅｒｓｅｙ  Ｉｎｓｔｉｔｕｔｅ  ｏｆ  Ｔｅｃｈｎｏｒｏｇｙ）によって開発された所謂「スマートガン（ｓｍａｒｔ  ｇｕｎ）」は、何時その拳銃がピックアップされたかを決定し従ってその拳銃が静止されている場合にスリープモードとなるその他の回路をウェイクアップさせるＭＥＭＳ加速度計を包含している。該その他の回路は、パワーアップされた場合に、その拳銃を保持する手の寸法が格納されている生物学的データと一致するか否かを決定する圧力センサーを包含している。
【０００６】
ＭＥＭＳ加速度計のような従来のウェイクアップセンサーは、しばしば、電圧及び／又は電流レベルにおける変化を検知することにより動作する。
【０００７】
従って、このような従来のウェイクアップセンサーは、通常、それと共に使用される装置がアイドルモードにある場合であってもパワーが供給されていることを必要とする。然しながら、このことはパワーを消費し且つバッテリ駆動型エレクトロニクスに対するバッテリ寿命を減少させる。
【０００８】
【特許文献１】米国特許第６，４６９，６３９号
【発明の開示】
【発明が解決しようとする課題】
【０００９】
本発明は、以上の点に鑑みなされたものであって、上述した如き従来技術の欠点を解消し、電子装置のパワー即ち電力消費をより効果的に且つ効率的に減少させることを可能とする技術を提供することを目的とする。
【課題を解決するための手段】
【００１０】
本発明によれば、運動感受性パワースイッチング集積回路が提供され、それは、入力と出力との間に接続されているパワースイッチと、第一位置から第二位置へ移動可能な少なくとも１個のＭＥＭＳ慣性検知スイッチと、該少なくとも１個のＭＥＭＳ慣性検知スイッチが該第一位置から該第二位置へ移動することに基づいて該入力から該出力へパワーを供給するために該パワースイッチを動作する検知器とを包含している。
【００１１】
例えば、該少なくとも１個のＭＥＭＳ慣性検知スイッチは、通常開いた位置から閉じた位置へ移動することが可能である。従って、該検知器は、該少なくとも１個のＭＥＭＳ慣性検知スイッチが該閉じた位置へ移動するまでパワーが供給されないままとすることが可能である。パワー即ち電力は該少なくとも１個のＭＥＭＳ慣性検知スイッチか又は該装置がオフであり且つ移動されない場合に該検知器のいずれかによって消費されることはない。更に、該装置は尚且つ該装置の移動に基づいて迅速にパワーを供給させることが可能である。該検知器は、該少なくとも１個のＭＥＭＳ慣性検知スイッチが該閉じた位置へ移動することに基づいてパワースイッチをオン状態にラッチさせることにより動作することが可能である。該検知器は、更に、該少なくとも１個のＭＥＭＳ慣性検知スイッチが該閉じた位置へ移動することに基づいてパワーオンリセット（ＰＯＲ）信号を発生することが可能である。
【００１２】
該少なくとも１個のＭＥＭＳ慣性検知スイッチは、互いに並列に接続されている複数個のＭＥＭＳ慣性検知スイッチを包含することが可能である。該ＭＥＭＳ慣性検知スイッチの各々は、該装置の夫々異なる移動軸に沿っての移動に応答することが可能である。
【００１３】
該パワースイッチは、該入力と出力との間に直列接続されている夫々の導通端子を具備している少なくとも１個のトランジスタを包含することが可能である。該トランジスタは、更に、該少なくとも１個のＭＥＭＳ慣性検知スイッチ及び該検知器の両方へ接続する制御端子を具備することが可能である。更に、該パワースイッチは少なくとも１個のＭＯＳトランジスタを有することが可能である。
【００１４】
該入力は第一外部ピンを有することが可能であり、且つ該出力は第二外部ピンを有することが可能である。更に、該運動感受性パワースイッチング集積回路は、更に、該少なくとも１個のＭＥＭＳ慣性検知スイッチ及び該検知器へ接続している外部接地ピンを有することが可能である。即ち、幾つかの実施例においては比較的少ない数のピンが使用されている。
【００１５】
本発明の付加的な側面は、運動に基づいてパワースイッチの出力へ接続されている回路へ選択的にパワーを供給する方法に関するものである。本方法は、その運動に基づいて少なくとも１個のＭＥＭＳ慣性検知スイッチが第一位置から第二位置（例えば、通常開いた位置から閉じた位置）へ移動することを検知することに基づいて出力へパワーを供給するためにパワースイッチを動作させることを包含することが可能である。
【発明を実施するための最良の形態】
【００１６】
以下において、本発明の好適実施例が示されている添付の図面を参照して本発明をより詳細に説明する。然しながら、本発明は多くの異なる形態で実現することが可能なものであり、従って以下に説明する実施例に制限するものとして解釈されるべきではない。そうではなく、これらの実施例は、本発明の開示が完全なものであり且つ当業者に対して本発明の範囲を完全に伝達する意図を持って提供されるものである。尚、本明細書全体にわたり同一の参照番号は同一の構成要素を意味しており、ダッシュは変形実施例における同様の構成要素を表わすために使用している。
【００１７】
最初に図１を参照すると、本発明に基づく電子装置２０が示されている。電子装置２０は、例示的に、運動感受性パワースイッチング集積回路２２を有しており、それは、例示的に電源２６へ接続するための入力２４、該電源により選択的にパワーが供給されるべき負荷回路３０へ接続するための出力２８を包含している。入力２４は、例示的に、第一外部ピンを有しており、且つ出力２８は、例示的に、第二外部ピンを有している。
【００１８】
電子装置２０の運動感受性パワースイッチング集積回路２２は、更に、例示的に、複数個のＭＥＭＳ慣性検知スイッチ３２Ａ，３２Ｂ，３２Ｃを包含しており、その各々は第一位置から第二位置へ移動可能である。該ＭＥＭＳ慣性検知スイッチ３２Ａ，３２Ｂ，３２Ｃのうちの少なくとも１つが第一位置から第二位置へ移動することに基づいて、検知器３４が動作して例示的にＭＯＳトランジスタ３６によって設けられているパワースイッチを動作させて出力２８へパワーを供給する。
【００１９】
例示的に、検知器３４は、ＭＥＭＳ慣性検知スイッチ３２Ａ、３２Ｂ，３２Ｃのうちの少なくとも１つがその第一位置から第二位置へ移動するまで、パワーが供給されないままである。例示として、各ＭＥＭＳ慣性検知スイッチ３２Ａ，３２Ｂ，３２Ｃは固定コンタクト領域に隣接したフローティングコンタクトを有することが可能である。電子装置２０の移動は該フローティングコンタントを該固定コンタクト領域と接触させ、それによりしばらくの間運動感受性パワースイッチング集積回路２２を閉じる。従って、例示的に、ＭＥＭＳ慣性検知スイッチ３２Ａ，３２Ｂ，３２Ｃの第一位置は通常開いた位置とすることが可能であり、且つ該第二位置は閉じた位置とすることが可能である。当業者によって容易に理解されるように、ＭＥＭＳ慣性スイッチの種々のその他のタイプを使用することも可能である。このようなＭＥＭＳ慣性検知スイッチの付加的な例は、例えば、Ｃｈａｎ  ｅｔ  ａｌ．への米国特許第６，０２８，３４３号、Ｒｏｂｉｎｓｏｎへの米国特許第６，３１４，８８７号において見出すことが可能であり、これらの特許を引用によりその全体を本明細書に導入する。
【００２０】
検知器３４は、例示的に、パワースイッチ３６を動作させて該パワースイッチをラッチさせ、従ってＭＥＭＳ慣性検知スイッチ３２Ａ，３２Ｂ，３２Ｃのうちの１つのみが瞬間的に閉じ次いでその通常開いた位置へ復帰する場合であっても、パワーは継続して入力２４から出力２８へ供給される。例示的に、検知器３４は、又、ＭＥＭＳ慣性検知スイッチ３２Ａ，３２Ｂ，３２Ｃのうちの少なくとも１つがその運動に応答して閉じることに基づいてパワーオンリセット（ＰＯＲ）信号を発生する。運動感受性パワースイッチング集積回路２２は、例示的に、検知器３４へ接続しているＰＯＲ外部ピン３５を有している。電子装置２０は、ユーザによりシャットダウンされるまで継続してパワーを供給させることが可能である。
【００２１】
上述した如く、ＭＥＭＳ慣性検知スイッチ３２Ａ，３２Ｂ，３２Ｃの動作の結果として、運動感受性パワースイッチング集積回路２２は、継続的にパワーが供給されるウェイクアップ回路において使用されている従来のＭＥＭＳ加速度計と比較して顕著な利点を提供している。対比として、ＭＥＭＳ慣性検知スイッチ３２Ａ，３２Ｂ，３２Ｃは運動に応答してパワーの供給を開始させるので、本発明の運動感受性パワースイッチング集積回路２２は例え非常に低い電流又は電圧であっても継続的にパワーが供給されることを必要とするものではない。本装置がオフであり且つ移動されない場合には、ＭＥＭＳ慣性検知スイッチ３２Ａ，３２Ｂ，３２Ｃも検知器３４もパワー即ち電力を消費するものではない。然しながら、ＭＥＭＳ慣性検知スイッチ３２Ａ，３２Ｂ，３２Ｃのうちの少なくとも１つの例え瞬間的な位置における変化であっても該電子装置を活性状態とさせることが可能である。
【００２２】
例示的に、本運動感受性パワースイッチング集積回路２２のＭＥＭＳ慣性検知スイッチ３２Ａ，３２Ｂ，３２Ｃは互いに並列的に接続されている。運動感受性パワースイッチング集積回路２２は、又、例示的に、３個からなる複数個のこのようなＭＥＭＳ慣性検知スイッチ３２Ａ，３２Ｂ，３２Ｃを有している。この形態の利点は、各ＭＥＭＳ慣性検知スイッチ３２Ａ，３２Ｂ，３２Ｃが物理的空間をスパンする３個の直交する軸（夫々、Ｘ，Ｙ，Ｚ）のうちの１つに対応することが可能であり、従っていずれかの方向における電子装置２０の移動が該装置へのパワーの供給を開始させることとなる。然しながら、当業者によって容易に理解されるように、ユーザの特定の必要性に依存して、３個を超えるか又は最小で１個のＭＥＭＳ慣性検知スイッチを使用するが可能である。
【００２３】
該パワースイッチは、例示的に、入力２４と出力２８との間に直列接続されている夫々の導通端子３８Ａ，３８Ｂを具備するトランジスタ３６を有している。該トランジスタは、更に、ＭＥＭＳ慣性検知スイッチ３２Ａ，３２Ｂ，３２Ｃ及び検知器３４へ接続している制御端子４０を具備している。抵抗４１がトランジスタ３６の制御端子３８Ａと制御ゲート４０との間に接続されている。当業者によって容易に理解されるように、本運動感受性パワースイッチング集積回路２２は１つを超えるこのようなトランジスタを包含することが可能である。例えば、該１つ又はそれ以上のトランジスタは当業者によって容易に理解されるようにＭＯＳトランジスタとすることが可能である。更に、運動感受性パワースイッチング集積回路２２は、例示的に、外部接地ピン４２を包含しており、それはＭＥＭＳ慣性検知スイッチ３２Ａ，３２Ｂ，３２Ｃ及び検知器３４へ接続している。
【００２４】
図１に示したように、電子装置２０は、例示的に、半導体基板２３を有しており、その上に、パワースイッチ３０と、ＭＥＭＳ慣性検知スイッチ３２Ａ，３２Ｂ，３２Ｃと、検知器３４とが形成されている。負荷回路３０が、例示的に、別の基板３１上に設けられており且つパワースイッチ３６の出力２８へ接続されている。当業者によって容易に理解されるように、更に別の基板上に設けられた付加的な回路をパワースイッチ３６の出力２８へ接続させることも可能である。
【００２５】
別の実施例においては、図２に例示したように、電子装置２０′は基板２３′を有しており、その上に、パワースイッチ３６′と、ＭＥＭＳ慣性検知スイッチ３２Ａ′，３２Ｂ′，３２Ｃ′と、検知器３４′とが形成されている。然しながら、付加的に、負荷回路３０′も例示的に同一の基板２３′上に設けられており且つその上に形成されているパワースイッチ３６′へ接続されている。
【００２６】
図３に例示したように、電子装置２０″の更に別の実施例においては、検知器３４″は、負荷回路３０″を包含する同一の基板３１″上に設けられている。この実施例においては、外部ピン３５″はＰＯＲピンとしてではなく、回路ノード接続ピンとして作用する。然しながら、ＰＯＲ信号は、この場合にも、ＭＥＭＳ慣性検知スイッチ３２Ａ″，３２Ｂ″，３２Ｃ″のうちの少なくとも１つがその運動に応答して閉じることに基づいて検知器３４″によって発生される。そのＰＯＲ信号は、図示した如く、負荷回路３０″へ供給される。
【００２７】
図４に示したように更に別の実施例においては、ＭＥＭＳ慣性検知スイッチ３２Ａ″′，３２Ｂ″′，３２Ｃ″′が２個の出力ピン４１″′，４３″′を具備する基板２３″′上にパッケージ化されている。出力ピン４１″′，４３″′は、ＭＥＭＳ慣性検知スイッチ３２Ａ″′，３２Ｂ″′，３２Ｃ″′を、各々別の基板３１″′上に設けられているパワースイッチ３６″′、検知器３４″′、負荷回路３０″′へ電気的に接続させている。
【００２８】
運動感受性パワースイッチング集積回路２２を使用することが可能な電子装置の１例は、図５に例示したような携帯可能なラップトップコンピュータ４４である。前述した説明から容易に理解されるように、ラップトップコンピュータ４４の移動はＭＥＭＳ慣性検知スイッチ３２Ａ，３２Ｂ，３２Ｃのうちの１つをその通常開いた位置から閉じた位置へ移動させ、その結果、検知器３４はパワースイッチ３６を動作させてパワーを入力２４から出力２８へ供給し、従ってラップトップコンピュータの回路がターンオンする。運動感受性パワースイッチング集積回路２２は、図示した如く、ラップトップコンピュータ４４の下側ハウジング４６内に設けることが可能であり、又は、その代わりに、それは上側ハウジング４８に設けることも可能であり、その場合には上側のハウジングが開かれた場合にパワーが供給される。
【００２９】
図６は運動感受性パワースイッチング集積回路２２を使用することが可能な電子装置の別の例としてのモーバイル電話５０を例示している。この場合にも、運動感受性パワースイッチング集積回路２２はモーバイル電話５０のハウジング５２内に設けることが可能であり、従ってモーバイル電話の移動はパワーを内部回路へ供給させることとなる。そうでない場合には、モーバイル電話５０はオフ状態であり且つ移動されない場合には、パワーはオフされたままである。
【００３０】
運動感受性パワースイッチング集積回路２２を使用することが可能な電子装置の更に別の例は図７に示したようなスマートカード５６である。運動感受性パワースイッチング集積回路２２は、スマートカード５６の薄く平坦な基板５４内に納まるように充分に小型に形成することが可能なものである。スマートカード５６が、例えば、所有者の家庭における机の引出し内において又は財布内において静止状態にある場合には、パワーが使用されることはない。然しながら、スマートカード５６が所有者によって使用されるべくピックアップされる場合には、運動感受性パワースイッチング集積回路２２がスマートカード５２の本体５４内の内部回路へのパワーの供給を開始させる。例えば、少なくとも時折所有者によって必要とされない場合にしまって置かれる電子的ＩＤバッジ又はその他の個人的な電子的品目において運動感受性パワースイッチング集積回路２２を使用することにより同様の利点が得られる。
【００３１】
当業者によって容易に理解されるように、その他のそのような電子装置のホストは、同様に、運動感受性パワースイッチング集積回路２２を使用することから利点を得ることが可能である。更に、当業者により容易に理解されるように、運動感受性パワースイッチング集積回路２２は、例えば、既存の電子装置の回路と共に設けることが可能であり、従ってそれらの電力消費が改善される。
【００３２】
本発明の別の側面はパワースイッチ３０の出力２８へ接続されている回路３０へ選択的にパワーを供給する方法に関するものである。本方法は、ＭＥＭＳ慣性検知スイッチ３２Ａ，３２Ｂ，３２Ｃのうちの少なくとも１つがその運動に基づいて第一位置から第二位置へ移動することを検知することに基づいて出力へパワーを供給するためにパワースイッチを動作させることを包含している。本方法を図８のフローチャート６０に例示してある。
【００３３】
開始する場合に（ブロック６２）、ブロック６４においてパワーが供給されることはなく、且つＭＥＭＳ慣性検知スイッチ３２Ａ，３２Ｂ，３２Ｃのうちの少なくとも１つは通常開いた位置にある（ブロック６６）。従って、検知器３４は、ＭＥＭＳ慣性検知スイッチ３２Ａ，３２Ｂ，３２Ｃのうちの少なくとも１つが通常開いた位置から閉じた２番目の位置へ移動するまで、パワーが供給されないままである。
【００３４】
ブロック６８において、ＭＥＭＳ慣性検知スイッチ３２Ａ，３２Ｂ，３２Ｃのうちの少なくとも１つがその通常開いた位置から閉じた位置へ移動すると、パワースイッチがブロック７０においてラッチされる。ブロック７２において、ＭＥＭＳ慣性検知スイッチのうちの少なくとも１つが開いた位置から閉じた位置へ移動することに基づいてパワーオンリセット（ＰＯＲ）信号もオプションとして発生される。ユーザがブロック７４において装置をシャットダウンするまで回路へパワーが継続して供給される。
【００３５】
以上、本発明の具体的実施の態様について詳細に説明したが、本発明は、これら具体例にのみ制限されるべきものではなく、本発明の技術的範囲を逸脱することなしに種々の変形が可能であることは勿論である。
【図面の簡単な説明】
【００３６】
【図１】本発明に基づく運動感受性パワースイッチング集積回路を包含する電子装置の概略図。
【図２】本発明に基づく運動感受性パワースイッチング集積回路を包含する電子装置の別の実施例の概略図。
【図３】本発明に基づく運動感受性パワースイッチング集積回路を包含する電子装置の更に別の実施例の概略図。
【図４】本発明に基づく運動感受性パワースイッチング集積回路を包含する電子装置の更に別の実施例の概略図。
【図５】図１の運動感受性パワースイッチング集積回路を包含する電子装置（即ち、携帯可能なコンピュータ）の概略斜視図。
【図６】図１の運動感受性パワースイッチング集積回路を包含する別の電子装置（即ち、モーバイル電話）の概略斜視図。
【図７】図１の運動感受性パワースイッチング集積回路を包含する更に別の電子装置（即ち、スマートカード）の概略斜視図。
【図８】本発明に基づく運動に基づいてパワースイッチの出力へ接続されている回路へ選択的にパワーを供給する方法を示したフローチャート。
【符号の説明】
【００３７】
２０  電子装置
２２  運動感受性パワースイッチング集積回路
２４  入力
２６  電源
２８  出力
３０  負荷回路
３２  ＭＥＭＳ慣性検知スイッチ
３４  検知器
３６  ＭＯＳトランジスタ
３８  導通端子
４０  制御ゲート
４２  外部接地ピン
【図１】
2004236306.tif 000003
【図２】
2004236306.tif 000004
【図３】
2004236306.tif 000005
【図４】
2004236306.tif 000006
【図５】
2004236306.tif 000007
【図６】
2004236306.tif 000008
【図７】
2004236306.tif 000009
【図８】
2004236306.tif 000010